Podtech/llm-jp-corpus-v4-ja_patent huggingface dataset:
(57)【要約】　　　（修正有）【課題】自分自身で手軽に出来る簡便な股関節整体具の提供。【解決手段】自転車のサドル等を利用して、仰向け姿勢での股関節部分を持ち上げる整体具を作成し、自分自身で股関節下部に体重の一部を加えた状態を一定時間、持続を繰り返す。【選択図】　図２
0003098871.tif 000002
【実用新案登録請求の範囲】
【請求項１】
床面に仰向けの姿勢で、股関節下部を床面から任意の高さだけ持ち上げ、体重の一部を股関節下部で支える姿勢を持続させる方式の整体具
【考案の詳細な説明】
【０００１】
【考案が解決しようとする課題】
従来、老化と共に腰が曲がり、背中が丸くなり、身体全体の動きが悪くなる。これを改善出来る整体術は保険が効かない。自分自身で自宅で出来る簡便な方法が無かった。
【０００２】
【課題を解決するための手段】
自転車のサドル等を利用して、仰向け姿勢での股関節部分を持ち上げる整体具を作成し、自分自身で、股関節下部に、体重の一部を加えた状態を、一定時間、持続を繰り返す。
【０００３】
【考案の効果】
股関節下部で体重の一部を支える動作を繰り返し実施する事で、股関節周辺を中心として大腿部、背中、両肩に至る筋肉をほぐし、更に、ひねり等を加える事で、大腿部のローリング、両肩のスライド等、老化と共に生じる姿勢の改善が可能となる。
【０００４】
【図面の簡単な説明】
【図１】股関節整体具の構造を示すものです。
【図２】股関節整体具の使用法を示すものです。
【図１】
0003098871.tif 000003
【図２】
0003098871.tif 000004
【手続補正書】
【提出日】平成15年5月20日(2003.5.20)
【手続補正１】
【補正対象書類名】図面
【補正対象項目名】全図
【補正方法】変更
【補正の内容】
【図１】
0003098871.tif 000005
【図２】
0003098871.tif 000006
【手続補正書】
【提出日】平成15年7月31日(2003.7.31)
【手続補正１】
【補正対象書類名】明細書
【補正対象項目名】実用新案登録請求の範囲
【補正方法】変更
【補正の内容】
【実用新案登録請求の範囲】
【請求項１】
高さ調節が可能な台の上部にサドルを取り付けた構造の股関節整体具
(57)【要約】　　　（修正有）【課題】スプレー式消火用具缶等の、日常の使用頻度は少ないが、緊急時に瞬時に取りだせるようにしたホルダーであり、また通常整理のしにくい円筒形の収納に便利なホルダーである。【解決手段】円筒形収納物１０に合わせて形成したホルダー本体１に磁石を数個設け、収納、取出しが簡単に行えるようにし、円筒形収納物１０の落下を防ぐストッパー９を設けた。日常の生活でこの様な円筒形収納物１０主にスプレー式消火用具缶などは台所などに収納される事が多いので、本体の取り付けには一体形成した吸盤２を設け、平面な壁や冷蔵庫、流し台の扉などにも簡単に取付けられるものとした。また、円筒形収納物１０の重みでスイッチが作動し警報ブザーが鳴るようにし誤使用を防止しているが、この警報ブザーを熱感知器、煙感知器、炎感知器、ガス感知器等と連動叉は内蔵し非常灯を設けることも可能である。【選択図】図７
0003098873.tif 000002
【実用新案登録請求の範囲】
【請求項１】
円筒形の金属缶などを収納するために予め缶の曲線に合わせ形成した樹脂板叉は金属板の内側に磁石を設け、磁石に吸着する金属製の円筒形缶などを簡単に脱着可能にした事を特徴とするホルダーであり、収納した金属製缶が取外されると警報ブザーが鳴る。
【考案の詳細な説明】
【０００１】
【考案の属する技術分野】
本考案は円筒形の金属製缶等を固定収納するため磁石と警報ブザーを設けた、消火用具収納ホルダーに関するものである。
【０００２】
【従来の技術】
円筒形のスプレー式消火用具を収納するのは、通常は床や棚等に置く場合が多く、使用頻度の少ないものは奥に移動するため、いざ取出す時は缶が重なりあうためラベルや表示が見にくく、必要時に缶の見分けや取出しに不便であった。
従来の円筒形の収納ホルダーとしてあるものの多くは自動車の車内に利用される飲み物等を倒れないように工夫されたホルダーや、容器専用の樹脂製で容器を挟みこむ等の簡易なものなどしかなかった。
また、ホルダーに警報ブザー等の機能を設けたものがなかった。
【０００３】
【考案が解決しようとする課題】
日常はあまり使用しないが緊急に必要とされるスプレー式簡易消火用具缶等をラベルが見え、手に取りやすい任意の位置に収納保管し、瞬時に脱着を可能とし、缶を取外すと警報ブザーが鳴るようにし誤使用を防止し前述の欠点を解決しようとするものである。
【０００４】
【課題を解決するための手段】
収納する円筒形の容器に添った形状と大きさの樹脂製叉は金属製の板の内側に磁石を設け、下部にはスイッチ、ブザー、乾電池を設けた収納物の落下防止用のストッパーを設け、缶を収納すると缶の重さによりブザーのスイッチが切りの状態になり缶が取外されるとスイッチが入りブザーが鳴る。このような構造により磁石に吸着する金属製の円筒形の物を収納し瞬時に取りはずすことが可能となり問題点を解決している。
【０００５】
【考案の実施の形態】
収納する円筒形の曲面にあわせた形状の樹脂製叉は金属製の本体と、本体取付け用吸盤を一体形成し、この本体の内側に磁石を設け、下部にはスイッチ、ブザー、乾電池を設けた落下防止のストッパーを設ける。
【０００６】
【実施例】
以下、添付図面に従って一実施例を説明する。１は耐久性のあるプラスチック等の樹脂製叉は金属製にて形成されたホルダー本体、２は本体取付け用に一体形成した吸盤、３はホルダー本体に接着した磁石、４は本体取付け用のネジ穴、５は缶の重みで曲がるブザーのスイッチ、６はブザー、７は乾電池、９はホルダー一体成形されたストッパー。
【０００７】
壁面１１に取付けたホルダー本体１に磁石に吸着する金属製の円筒形の缶１０をくっけるだけでしっかりとホルダー本体１に納まる。同様に１０を引張るだけで安易にホルダー本体１から取外すことができる。
【０００８】
ホルダー本体１の取付けには、取付ける場所により、吸盤の他にネジ止め、両面接着テープ、接着剤等も利用される。
【０００９】
【考案の効果】
上述の様に、本考案の磁石と警報ブザー付金属缶収納ホルダーは、整理がしにくい円筒形の金属缶を壁面や扉などの平面に商品ラベルの見える状態で収納でき、使用時に瞬時に取りはずせるため、緊急時、特に台所などでの火災の初期消化用スプレー等を収納するのに役立つ。
【図面の簡単な説明】
【図１】本考案の一実施例を示す正面図である。
【図２】本ホルダーの背面図である。
【図３】本ホルダーの側面図である。
【図４】本ホルダーの側面断面図である。
【図５】本ホルダーの底面図である。
【図６】本ホルダーの斜視図である。
【図７】本ホルダーの使用状態の斜視図である。
【図８】本ホルダーの使用状態の側面図である。
【符号の説明】
１　ホルダー本体
２　本体取付け用吸盤
３　磁石
４　本体取付け用のネジ穴
５　スイッチ
６　ブザー
７　乾電池
８　乾電池交換用蓋
９　カバーストッパー
１０　缶
１１　壁
【図１】
0003098873.tif 000003
【図２】
0003098873.tif 000004
【図３】
0003098873.tif 000005
【図４】
0003098873.tif 000006
【図５】
0003098873.tif 000007
【図６】
0003098873.tif 000008
【図７】
0003098873.tif 000009
【図８】
0003098873.tif 000010
(57)【要約】　　　（修正有）【課題】上水道の入手が困難な場所や状況に成った場合に簡易的に安全な上水を製造する方法及び、装置を提供する。【解決手段】原水は、ライン１から、圧力手動ポンプ２に吸い込まれる。ここでバーハンドル１１の上下作動により加圧される。加圧された原水は、ライン３を経て、前処理用カーボンフィルター４に供給される。ここで、原水中の有機物の一部がカーボンフィルターに吸着される。加圧された原水は、さらにライン５を経て、逆浸透膜分離装置６に供給される。ここで、原水中の重金属類や、ダイオキシン類、細菌、トリハロメタン等の有害物質が分離される。分離された有害物質を含む排水は、ライン７を経て排出される。有害物質を分離・除去された浄水は、ライン８を経て、後処理用カーボンフィルター９に供給され、浄水中に残留する微量の成分を吸着・分離された後、ライン１０から製造水として抜き出される。【選択図】　図２
0003098878.tif 000002
【実用新案登録請求の範囲】
【請求項１】
手動式加圧ポンプと，フィルターを組み込んだ前処理装置と，膜分離装置とを主要構成機器として配接することにより，汚濁水を浄化する機能を有することを特徴とする汚濁水浄化装置
【考案の詳細な説明】
【０００１】
【考案の属する技術分野】
本考案は，加圧容器の圧力調整器に関する。本考案は，微粒子や細菌類を含有する汚濁水を手動により浄化処理することにより，飲用可能な水を簡易製造する汚濁水浄化装置に関する。
【０００２】
【従来の技術】
一般に，飲料水として使用されている水道水は，厚生労働省により定めれれた水道施設基準にそって，図１．にしめされるフローで処理される。
このように，上水道は水道施設基準による方法で処理されるため，重金属類や細菌類等の人体に有害な物質が分離・除去される。
【０００３】
【考案が解決しようとする課題】
このような上水道の入手が困難な場所や状況に成った場合，例えば，船舶やキャンプ場，あるいは地震のような緊急災害時に適用が可能な簡易的に上水を製造する方法や装置が要望されている。本考案は，このような場所や状況時に安全な飲料水を製造する方法及び装置を提案する。
【０００４】
分離膜を使用する膜分離法を表１．に示す。使用する膜の表面状態により，その分離対象物質がそれぞれ異なる。最近特に問題となっているトリハロメタンやダイオキシン類を分離でき，上水道としての水質基準を満足できる膜としては，逆浸透膜ＲＯがあげられる。この分離膜を使用するためには，４〜７５ｘ１００ｋＰａに供給水を加圧することが必要である。
本考案に最適な分離膜としては，逆浸透膜が好ましい。
【０００５】
【表１】
0003098878.tif 000003
【０００６】
【課題を解決するための手段】
以下，本考案を図２．に示す実施例に従って説明する。
原水は，ライン▲１▼から，圧力手動ポンプ▲２▼に吸い込まれる。ここでバーハンドル▲１１▼の上下作動により加圧される。加圧された原水は，ライン▲３▼を経て，前処理用カーボンフィルター▲４▼に供給される。ここで，原水中の有機物の一部がカーボンフィルターに吸着される。加圧された原水は，さらにライン▲５▼を経て，逆浸透膜分離装置▲６▼に供給される。ここで，原水中の重金属類や，ダイオキシン類，細菌，トリハロメタン等の有害物質が分離される。分離された有害物質を含む排水は，ライン▲７▼を経て排出される。有害物質を分離・除去された浄水は，ライン▲８▼を経て，後処理用カーボンフィルター▲９▼に供給され，浄水中に残留する微量の成分を吸着・分離された後，ライン▲１０▼から製造水として抜き出される。
前述のように，逆浸透膜を使用する場合には，供給水を加圧することが必要であるが，本考案では手動により必要な加圧をすることができるポンプを使用する。図３．及び図４．に本考案で使用する手動式で加圧できる水ポンプの概要を示す。供給原水は，バーハンドル▲１１▼を手動で１秒間に１回程度上下操作することにより，所定圧まで容易に加圧することができる。また，連続吐出量が２〜５Ｌ／分程度の水ポンプの重量はせいぜい１ｋｇ程度であり，十分に可搬可能である。
製造水の量は，分離膜の表面積と水ポンプのシリンダー径を変更することにより，調整が可能である。
【０００７】
【実施例１】
供給原水として，有害成分を添加した模擬水を製造して使用した。
本考案の装置を使用して模擬水を処理した結果を表２．に示す。
製造浄化水は，水道水基準を十分に満足する値となっており，飲料水として使用できる。
【０００８】
【表２】
0003098878.tif 000004
【０００９】
【実施例２】
供給原水として，表３．に示す性状の排水を使用した。この排水中には，一般細菌類や大腸菌が含まれていた。
本考案の装置を使用して排水を処理した結果を表３．に示す。
製造浄化水は，一般細菌類や大腸菌を全く含まず，水道水基準を十分に満足する値となっており，飲料水として使用できる。
【００１０】
【表３】
0003098878.tif 000005
【００１１】
【考案の効果】
本考案の装置により，上水道が利用できない場所，例えば，船舶，キャンプ場等で飲料水を簡易的に製造することができる。また，地震のような緊急災害時においても，汚濁水から安全な飲用可能な製造水を得る事ができる。
原水としては，海水や汚濁水についても本考案の装置が適用可能である。
以上のように，本考案は簡単な構造で簡易的に飲用可能な上水を製造することができるものであり，工業上有用な考案である。
【図面の簡単な説明】
【図１】従来の上水道の一般フロー例
【図２】本考案の実施例を示すフロー
【図３】本考案の水ポンプの概要例
【図４】本考案の水ポンプの詳細構造例
【符号の説明】
１…ポンプ本体
２…圧力手動ポンプ
３…ライン
４…前処理用カーボンフィルター
５…ライン
６…逆浸透膜分離装置
７…ライン
８…ライン
９…後処理用カーボンフィルター
１０…ライン
１１…バーハンドル
【図１】
0003098878.tif 000006
【図２】
0003098878.tif 000007
【図３】
0003098878.tif 000008
【図４】
0003098878.tif 000009
(57)【要約】【課題】体液による汚れが着物に付着するのを防ぐ。【解決手段】普通のお腰、和装肌着などの脇の下、背中、尻部、膝裏など汚れが付着しやすい部分の肌着に防水布を貼ることで着物の汚れを防ぐ。【選択図】　図１
0003098876.tif 000002
【実用新案登録請求の範囲】
【請求項１】
体液による、着物の汚れを防ぐ肌着
【考案の詳細な説明】
【０００１】
【考案が解決しようとする課題】
今まで、汗を吸収してくれる汗取りの肌着はあったものの、普通の肌着とは別に購入する必要がある為、汗取り用肌着を用意している人は少なく、着物の汗ジミ汚れや生地のすれ、しわなどによる着用事のトラブルは以外と多い。また、尿漏れや生理による汚れを防ぐ和装肌着はなかった。
【０００２】
【課題を解決するための手段】
上記の汚れが着物や襦袢に付着するのを防ぐ為に、内側には吸湿性のある防水性布を施した。
【０００３】
【考案の効果】
汗、尿、生理などによる汚れや生地の傷みを軽減出来る。また、尻部のみならず腰から下の後ろ部分全てに貼ることにより、座った時のべたつき、膝裏の汗ジミ、しわなども付きにくい。さらに、汚すのではないか、との不安感もなくなる。
【図面の簡単な説明】
【図１】上下続き肌着の全体図である。斜線の部分などに防水布を貼る。
【図２】肌着の上半身前面図である。防水布を脇の下部分に貼る。
【図３】肌着の上半身後面図である。防水布を背中の帯の当たる部分に貼る。
【図４】肌着の下半身後面図である。防水布を腰から下まで貼る。
【符号の説明】
１　肌着の部分
２　防水布の部分
【図１】
0003098876.tif 000003
【図２】
0003098876.tif 000004
【図３】
0003098876.tif 000005
【図４】
0003098876.tif 000006
【手続補正書】
【提出日】平成15年8月8日(2003.8.8)
【手続補正１】
【補正対象書類名】明細書
【補正対象項目名】実用新案登録請求の範囲
【補正方法】変更
【補正の内容】
【実用新案登録請求の範囲】
【請求項１】
体液による、着物の汚れを防ぐ為、肌着の脇の下部分、背中の一部分、腰から下の後ろ部分などに防水布を施した和装肌着。
(57)【要約】　　　（修正有）【課題】長時間座ってもお尻への負担を和らげ安定性があり、体に装着することにより作業をしやすいようにする。【解決手段】ビニールクッション部分をお尻にあわせ８の字にすることによって、長時間座ったときでもお尻への負担を和らげ安定感をもたすようにした。また、紐を付け体に装着できるようにした。【選択図】　　図１
0003098872.tif 000002
【実用新案登録請求の範囲】
【請求項１】
ビニール製クッション部分を８の字にしてベルトや紐で体にそうちゃくすることにより、安定感とお尻への負担を軽くさせ、手を自由に使えるようにした。
【考案の詳細な説明】
【０００１】
【考案が解決しようとする課題】
スポーツ観戦や釣りなどで長時間座ると、従来のエアークッションだと安定感がなくお尻も痛くなった。また、風に飛ばされたりすることもある。
【０００２】
【課題を解決するための手段】
安定性とお尻への負担を軽くするためクッション部分を８の字にした。また、手を自由に使え風に飛ばされたりしないよう紐で体に装着できるようにした。
【０００３】
【考案の効果】
クッション部分を８の字にすることによって安定感を高め、お尻の一番負担のかかる部分を宙に浮かすような状態にすることにより負担を軽減できる。また、ベルトや紐で体に装着するため飛ばされることもなく手の自由を確保でき、何かに引っかかったりしたときもすぐにはずせる。
【図面の簡単な説明】
【図１】８の字クッション本体に紐を付ける位置を示した平面図である。
【図２】考案したエアークッションの使用方法を示す平面図である。
【符号の説明】
１　エアークッション本体
２　紐取り付け部分
３　逆支弁つきエアー注入口
【図１】
0003098872.tif 000003
【図２】
0003098872.tif 000004
【手続補正書】
【提出日】平成15年7月30日(2003.7.30)
【手続補正１】
【補正対象書類名】明細書
【補正対象項目名】実用新案登録請求の範囲
【補正方法】変更
【補正の内容】
【実用新案登録請求の範囲】
【請求項１】
・　ビニール製クッション部分を８の字にしたエアークッション
(57)【要約】　　　（修正有）【課題】燻製食品の香りと味を残しながら燻製食品特有の固さを除去して軟らかく仕上げる燻蒸装置を提供する。【解決手段】水槽中１０に燃焼炉２とチップ載置部を設けた燻成装置を設け、全体を胴釜で覆い、この胴釜上部に燻製食品を吊り下げて燻煙と水蒸気によって燻蒸するもので、燻蒸された食品は燻製食品特有の香りと味を有していてしかも水分を与えることによって適度な軟らかさがあって口当りがよい。そして、装置全体を小型化して家庭用から業務用まで広く使用できる。【選択図】　図１
0003098836.tif 000002
【実用新案登録請求の範囲】
【請求項１】
水槽（１０）の中央に隔壁（１４）によって区切られた部分を焼却炉（２）とし、該燃焼炉底にロストル（１２）を配し、上部に燻材室（３）を設けて燻成部を形成し、上下が開放された胴釜（１）を前記水槽（１０）上の燻成部が中央位置になるように配し、胴釜（１）の上部に燻蒸物吊下げ棒（５）及び通気孔を有する内蓋（６）を設け、胴釜（１）の上部に回動する中蓋（７）を設けた２重構成の蓋（４）を設けたことを特徴とした燻蒸装置。
【請求項２】
２重構成の蓋（４）は、それぞれ通気孔を設け、上蓋のハンドル（８）の回動によって、燻煙・蒸気の排出を調節すること、及び燃焼炉（２）のツマミ（９）の上下によって炉内の火力の調節を可能としたことを特徴とした請求項１に記載の燻蒸装置。
【考案の詳細な説明】
【０００１】
【考案の属する技術分野】
本考案は家庭用から業務用まで広い範囲で使用できる、操作が簡便な食品の燻蒸装置に関する。
【０００２】
【従来の技術】
従来食品の保存と、香り、味を楽しむための燻製食品は広く知られ、一般に好まれている。そして、燻煙を当てて製造する燻製食品は、焚き物の種類よって、その樹木（チップ）特有の香りがうつり、香りと食味を楽しむものとして一般家庭でも簡単に作れるように小型化されてきている。
【０００３】
【考案が解決しようとする課題】
しかし、この燻製食品は、煙にふすべて色と香りを出すもので、貯蔵が利くという特性はあるが、一般に固くなるため食感の点で一部で嫌われる傾向もある。
【０００４】
また燻蒸という工程もある。この燻蒸は辞書によると、「いぶしむすこと」であって、燻煙を使う殺虫剤を意味する語となっている。
【０００５】
【課題を解決するための手段】
考案者は、この点に鑑み鋭意試作研究を重ねた結果、本考案に到達したものであって、本考案は水を使った燻製装置であって、燻成部と水槽とを一体とすることによって、燃焼中に水槽から水蒸気が発生し、燻煙と共に水蒸気が燻製食品に触れ、食品は適度に水分を含み軟かくなり、しかも燻製食品特有の色と香りが保たれ誰にでも好まれる燻製食品が得られた。
【０００６】
【考案の実施の形態】
添付図面により本考案の実施の形態を説明すると、図１は本考案の燻蒸装置の全体を示す断面図であって、水槽（１０）中に水を注入する。水槽の中央には隔壁（１４）によって区切られて燃焼炉（２）が設けられている。そして全体を胴釜（１）で覆い、この胴釜（１）の上部に食品を吊り下げて燻蒸食品が完成する。
【０００７】
【実施例】
図において、（１０）は水槽であって、この水槽（１０）の中央には隔壁（１４）によって区切られた区分があり、この区分を燃焼炉（２）とする。この燃焼炉（２）は図示されているように円筒形であって、この炉底にはロストル（１２）を設けて火受けとしている。
【０００８】
燃焼炉（２）の上部には燻材用のチップを載置する燻材室（３）を設けられていて燻成部が形成されている。燻材用のチップとしてはサクラやブナ、ナラ、等好みによって使用できる。
【０００９】
この燻成部を囲うように上下が開放されたドラム状の胴釜（１）が水槽（１０）上に燻成部が中央に位置されるように配置される。この胴釜（１）の上部には燻蒸する食品を吊り下げる棒（５）及び通気孔を設けた内蓋（６）が設けられ、更に蓋（４）を覆せて胴釜（１）は形成されている。ここに使用されている蓋（４）は内側に中蓋（７）を設けた２重構成であって、それぞれの蓋には図示していないが通気孔が重なり合うように設けてあって、上蓋（４）のハンドル（８）を回動することによって燻煙や水蒸気の排出の調節ができる。
【００１０】
図中の符号（９）は燃焼炉（２）の熱気排出口の調節ツマミであって、弁を矢印のように上下させて熱量を調節する。また符号（１１）は本装置の脚であって、燃焼炉の熱源としてガスを使用する場合は不用であるが、薪や木炭のような場合には灰を除去するために脚（１１）が必要である。
【００１１】
さらに本考案に使用するドラム状の胴釜（１）の下端には、図示していないが、小さな切欠きを設け、水槽（１０）の水が流通できるようになっていて胴釜（１）内の水の蒸発量が一目で判断できる。また燃焼炉（２）の下部トストル（１２）の下側にも火力調節用の弁を設けることによって、火加減の調節がよりスムーズにできる。
【００１２】
【考案の効果】
上述のように、本考案は燻蒸釜を水槽中に配設することによって、燻煙による燻製と水蒸気による水分の付与が同時に行えるため燻蒸作用によって燻製食品特有の香りを有していて、しかも蒸しの作用により軟らかく仕上げ、肉や魚介類の新鮮みが味合える。
【００１３】
そして装置が小形簡易化されているため業務用としては勿論のこと、家庭用としても庭先やガレージ等でも気軽に設置することができるもので食生活の向上や改善に貢献するところきわめて大である。
【図面の簡単な説明】
【図１】燻蒸装置の断面図
【符号の説明】
１　燻蒸釜
２　燃焼炉
３　燻材室
４　上蓋
５　吊下げ棒
６　中蓋
７　回動する内蓋
８　上蓋のハンドル
９　炉窓のツマミ
１０　水槽
１１　脚
１２　火受け
１３　把手
１４　隔壁
【図１】
0003098836.tif 000003
(57)【要約】【課題】延縄漁において幹縄を引揚げるためのラインホーラーの巻揚スピードを早め、しかも幹縄の形状に対応できる巻揚車の改良を目的とする。【解決手段】巻揚車１に対して、両側にベルト押え車３，３を１対に設け、この巻揚車の上方左右に１対のベルト張り車４，４を設け、この１対の押え車と１対の張り車の間にベルト２を巻回して張設し、両押え車間のベルトと巻揚車間の当接面でラインＡ（幹縄）の引揚げを行う、ベルト巻揚式のラインホーラーとしたことによって、ラインＡの巻揚スピードを早めしかもラインＡの形状に対応できることにより操業能率の向上を図る。【選択図】　図１
0003098832.tif 000002
【実用新案登録請求の範囲】
【請求項１】
延縄漁において、巻揚車（１）に対して、該巻揚車（１）の両側にベルト押え車（３），（３）を１対に設け、この巻揚車（１）の上方左右に１対のベルト張り車（４），（４）を配し、押え車（３），（３）と張り車（４），（４）の間にベルト（２）を巻回して張設し、前記押え車（３），（３）間のベルトと押え車（１）との当接面を延縄ラインＡの押え面としたことを特徴としたベルト巻揚式ラインホーラー。
【考案の詳細な説明】
【０００１】
【考案の属する技術分野】
本考案は、延縄漁における幹縄（ライン）の巻揚のための巻揚車の改良に関する。
【０００２】
【従来の技術】
従来から延縄漁のラインの巻揚に使用している巻揚車は、ラインを巻揚車に掛回して、図２、図３に示すように１点又は２点でラインを押えて巻揚ている。
【０００３】
【考案が解決しようとする課題】
このような従来のラインホーラーは、点でラインを押さえるためラインの押圧力が弱く巻揚スピードが出ないという欠点を有していた。又巻揚力を補助する引込車は、ラインの太さが異なるとラインに合せて、その溝巾を調整する必要があった。
【０００４】
【課題を解決するための手段】
考案者は、この点に鑑み鋭意研究を重ねた結果、本考案に到達したものであって、本考案は、巻揚車に対して掛回しているラインの押えを点ではなく、面で押えることによって押圧力を高め、ラインの材質の違いによるスリップの度合をなくし、巻揚車の巻揚スピードを速め、しかもラインの押えを面で行うためラインの形状に関係なく使用できるため延縄漁の操業効果の向上に成功した。
【０００５】
【考案の実施の形態】
添付図面により本考案の実施の形態を説明すると、図１は本考案のライン巻揚車の説明図であり、図２、図３は従来から延縄漁に使用しているライン巻揚車の比較図であって図２はラインに対して補助引込車併用の１点押え型、図３はラインに対して２点押え型である。また図４は延縄漁の概略図である。
【０００６】
【実施例】
図１において本考案のラインホーラーを説明すると、（１）はラインＡを巻揚る巻揚車であって、この巻揚車の両側にベルト押え車（３），（３）を１対に設ける。そしてこの巻揚車（１）の上方左右に１対のベルト張り車（４），（４）を配設し、ベルト押え車（３），（３）とベルト張り車（４），（４）の間にベルト（２）を張設する。図中の（５）は案内車であってラインＡの引揚げを案内する。
【０００７】
したがって、巻揚られるラインＡは巻揚車（１）の駆動によって矢印のように案内車（５）を経て巻揚車（１）とベルト（２）の間に挟持されて巻揚げられる。
【０００８】
この際ラインＡはベルト（２）によって巻揚車（１）の周面で押えられることにより押圧力が強く、巻揚車（１）のスピードを高めることが可能となる。またベルト（２）は常に張り車（４），（４）によって張られているため弛むことなく、ラインＡの巻揚は円滑にできる。
【０００９】
さらにベルト（２）によって面で押えるためラインＡの太さなどに関係なく作業ができる。
【００１０】
図２、図３は従来のラインホーラーであって、図２はラインＡを１点で押え、図３はラインＡを２点で押える構造のもので、これらと比較して、本考案のラインホーラーの効率がよいことは明確であって、延縄漁の操業に貢献するところは大きい。
【００１１】
【考案の効果】
上述のように本考案は、ラインの押えをベルトを使用して面で行うため、ラインの巻上げスピードを速め、しかもラインの径の形状に関係なく使用できるため延縄漁の操業能率が向上するという、従来の巻揚機にみられない卓越した作業上の効果を奏する。
【図面の簡単な説明】
【図１】本考案の説明図
【図２】従来の実施例図
【図３】従来の別の実施例図
【図４】延縄漁の概略図
【符号の説明】
１　巻揚車
２　押えベルト
３　押え車
４　張り車
５　案内車
Ａ　ライン（幹縄）
【図１】
0003098832.tif 000003
【図２】
0003098832.tif 000004
【図３】
0003098832.tif 000005
【図４】
0003098832.tif 000006
(57)【要約】【課題】頭部と脚部が同軸で上下に接合した電気接点を、最近の益々小型になる電気機器内の部材、例えば小型リレー、小型スイッチ等に適合できるように、その容積、特に頭部の厚みを薄くし、しかも工業的に妥当な価格で提供することを課題とする。【解決手段】所望の薄い厚みにした頭部の全体を単一の金属とし、脚部は頭部とは互いに異なる単一の金属とし、この頭部と脚部とを同軸で上下に合わせ連なげてなる小型電気接点を提供する。【選択図】　図３
0003098834.tif 000002
【実用新案登録請求の範囲】
【請求項１】
頭部と脚部が同軸で上下に合わせられ、この頭部と脚部が互いに異なる単一の金属または合金で作られていることを特徴とする電気接点。
【請求項２】
互いに異なる単一の金属または合金の一方が銀または銀合金であり、他の一方が銅または銅合金である請求項１記載の電気接点。
【請求項３】
頭部と脚部とが合わさってリベット形状をなす請求項１又は２記載の電気接点。
【請求項４】
頭部の厚みが０．１〜０．３ｍｍの小型の電気機器用の微小な請求項１，２又は３記載の電気接点。
【考案の詳細な説明】
【０００１】
【考案の属する技術分野】
この考案は、小型リレー、小型スイッチ等の小型な電気機器で使用される電気接点に関するものである。
【０００２】
図１の（ａ）および（ｂ）の従来例（Ａ）で示される接点頭部が、貴金属１と卑金属１’とからなり、その脚部２が前記の卑金属と一体の同一の卑金属からなる、所謂複合電気接点は、約４０〜５０年前に開発され、経済的で機能上でも優れた画期的な小型接点として広く用いられてきた。上記した貴金属としては銀または銀合金が、上記した卑金属としては銅または銅合金が一般に用いられてきた。
【０００３】
この種の接点は、それが使用される電気機器内の部材の容量、寸法、作動具合等の関連で、その接点頭部１，１’は０．５ｍｍ程迄の厚さを有してきた。そこで、上述した通りに、その頭部全体を貴金属とせずに、開閉作動に当たる上半分のみを貴金属とし、下半分を卑金属で補って、その価格を低くしてきた。その脚部は卑金属で作られ、図１の（ｂ）で示される通りに、電気機器の台金にカシメ付けされる。
【０００４】
ところが、近年、この種の電気接点が用いられる電気機器内の部材、例えばリレー、スイッチ等は更に益々小型化され、それに従って、それらに使われる電気接点にも更なる小型化が要求されるところとなった。具体的には、この種の電気接点の頭部の厚みを全体で、０．１〜０．３ｍｍにまで薄くすることが要求される。
【０００５】
図１を参照して上述した従来例（Ａ）の、頭部が二種の異なる金属になる接点を、その頭部の全体の厚みが０．３ｍｍ以下になるように設計して、製造することは困難である。そこで、図２の（ａ）（ｂ）の従来例（Ｂ）にて示される通りに、頭部１と脚部２とを共に同一の単一金属、特に貴金属とする接点が、新たに市場にもたらされた。　この接点は、図２の（ｂ）の如くに台金にカシメ付けされる。この従来例（Ｂ）の電気接点は確かに、その容量の面では市場で要求されるように小型化されたが、その全部が貴金属で作られるので、価格の面から市場では受け入れ難いものである。
【０００６】
【考案が解決しようとする課題】
そこで、この考案は、頭部と脚部が同軸で上下に連ながり合わさった小型な電気接点を、その容量、特に頭部をより薄くてかつ工業的に妥当な価格で提供することを課題とする。
【０００７】
【課題を解決するための手段】
上記した種類の小型電気接点の頭部の厚さを所望の薄さにし、これを単一の金属または合金で作り、その脚部を頭部とは別の単一の金属または合金で作り、この両者を合わせて、この考案が課題とするところの新規な小型電気接点を提供するものである。
【０００８】
【考案の実施の形態】
図３の（ａ）にて図示される如く、Ａｇ−Ｓｎ８％−Ｉｎ４％−Ｎｉ１％合金になる０．２５ｍｍの厚さの円盤状の頭部１の底面に、Ｃｕの短線になる脚部２を、両者が同軸で上下に連続するように加熱・圧着して、この考案による電気接点を製造した。
【０００９】
この電気接点を図３の（ｂ）で示される通りに、台金３にカシメ付けして使用した。その結果、在来の電気接点、例えば図１，図２で例示される接点と同様に、電気的に何らの不都合なしに使用できた。
【００１０】
上述したところでは、接点の頭部１と脚部２とを加熱・圧着して上下に一体の接点として合わせたが、両者をろう付け、溶接等により、またはその他の手段、方法によってこの考案の接点を作成してもよいことは勿論のことである。
【００１１】
【考案の効果】
以上記述した通り、この考案は最新の小型リレーや小型スイッチ等の小型電気機器の部材内で使用するのに適した、厚みの薄い頭部を有する電気接点を、経済的に市場に提供することできる優れた効果をあげることができる。
【図面の簡単な説明】
【図１】この考案にかかる電気接点の従来例の一つを示す断面図（ａ）と、それを電気機器の台金にカシメ付けしたときの断面説明図（ｂ）である。
【図２】図１と同様な、従来例の他の電気接点の断面図（ａ）と、その台金への取り付け説明図（ｂ）である。
【図３】この考案になる電気接点の断面図（ａ）と、それを台金へカシメ付けしたときの断面説明図（ｂ）である。
【符号の説明】
１−接点の頭部
１’−頭部の一部
２−接点の脚部
３−接点がカシメ付けられる台金
【図１】
0003098834.tif 000003
【図２】
0003098834.tif 000004
【図３】
0003098834.tif 000005
(57)【要約】　　　（修正有）【課題】心臓に対する電磁波遮断用帯体を提供する。【解決手段】市販されている電磁波遮断膜を利用する。密封された電磁波遮断膜を帯状とし、外側に布、内側にも通気性の良い布を当て、ミシン等で固定し、心臓のある胸部に巻き、端部を布製ファスナーで固定し、胸部と背中にしっかりと固定される。又、２つの紐をブラジャーのように肩に掛け、帯体のずれ落ちを防ぐ。又、タンクトップ型でも良い。これにより、心臓部分に当たる電磁波を殆ど遮断する。【選択図】　　図１
0003098837.tif 000002
【実用新案登録請求の範囲】
【請求項１】
細長い電磁波遮断膜を内包する袋に、外側に布、内側にも布を当てがい、３層の帯状とし、その端部につけた布製ファスナーにより、帯体を胸部と背中に廻して端部で固定可能であり、その帯体に２つの肩紐を設けた、心臓に当たる電磁波を遮断する帯体。
【考案の詳細な説明】
【０００１】
【考案の属する技術分野】
本考案は、心臓に当たる電磁波を遮断する帯体に関する。
【０００２】
【従来の技術】
心臓に疾患を持つ人は多い。人工心臓の人、不整脈のためチップ埋め込みの人、心臓病の人等がある。電磁波発生は多く、電子レンジで２．４５ＧＨｚ、携帯電話では或る種のものは、１．４５ＭＨｚ、他種のものでは８．００ＭＨｚ等である。満員電車等では、携帯電話の電源を切るようアナウンスするが、実際には行われていないことが多い。これら電磁波に対する予防は殆ど行われていないのが現状である。
【０００３】
【考案が解決しようとする課題】
本考案は、心臓のある胸部に常時当てている電磁波遮断用帯に関するものである。
【０００４】
【課題を解決するための手段】
本考案は、細長い電磁波遮断膜を内包する袋に、外側に布、内側にも布を当てがい、３層の帯状とし、その端部につけた布製ファスナーにより、帯体を胸部と背中に廻して端部で固定可能であり、その帯体に２つの肩紐を設けた、心臓に当たる電磁波を遮断する帯体に関する。
【０００５】
【考案の実施の形態】
本考案は東京都大田区池上にあるフィーサ社が、ＭＮＣＮＴ型番２０で発売している、厚み１／１００ｍｍから５／１００ｍｍの電磁波遮断膜を用いる。この遮断膜は薄く、種々の分野で利用されているが、電磁波を殆ど遮断する。原料は主に炭素を用いている。
【０００６】
電磁波遮断膜を内包する帯体である袋１を先ず用意する。それは細長く、人間の胸から背中に廻せるものである。その袋の上面である外側に布２を被せる。次に内側に通気性のよい、取りはずしの出来る布３を当てがう。即ち、布１、電磁波遮断膜の袋２、通気性のある取りはずしの出来る布３との３層となる。袋１と外側の布２は、縁部でミシン縫いし、固定する。内側の布３は、外側の布１と布製ファスナー等で着脱可能とする。
【０００７】
この３層の帯は、幅１０ｃｍ〜１５ｃｍで心臓のある胸部に、胸から背中を廻し、端部の布製ファスナー４で固定する。
又、この帯には、２つの肩紐５を設け、その紐は、使用者の肩に当てがい、帯を吊るすものであり、帯のずり下がりを防ぐ。ブラジャーの型と同じである。又、タンクトップ型でも良い。
図中Ａは帯体である。又、取り扱いでの梱包は、折らずに丸めるか、そのままにして行う。
【０００８】
【考案の効果】
本考案の帯は、心臓の悪い人、即ち人工心臓の人、不整脈予防のためチップを埋め込んでいる人、心臓病の人等の、心臓部分を電磁波から守る。これにより、常時これを装着することにより、心臓への電磁波の悪影響は殆ど無くなる。
【図面の簡単な説明】
【図１】斜視図である。
【図２】断面図である。
【符号の説明】
１　外側の布
２　電磁波遮断膜の袋
３　内側の布
４　布製ファスナー
５　肩紐
Ａ　帯体
【図１】
0003098837.tif 000003
【図２】
0003098837.tif 000004
(57)【要約】【課題】従来、排泄しつけは、大変時間と根気が必要となる。この排泄しつけを、飼い主が行う「餌」や「声がけ」により完全自動化したものである。【解決手段】本装置により、飼い主の手を煩わせることなく、自動的に排泄箇所をペットに認識させることが可能となる。犬の条件反射学習による習性を利用し、排泄物重量の機械的認識をきっかけとし、飼い主の声による「声がけ」のスリコミ効果及び餌やりの効果により、一定箇所での排泄をしつけることを可能とする。【選択図】　　　図１
0003098861.tif 000002
【実用新案登録請求の範囲】
【請求項１】
犬の体重計測をする「重量測定器」と、体重計測した数値を基本体重として認識する「体重検知器」により、基本体重を記憶させ、犬が立ち去った際に残る排泄物を「排泄物計測器」で認識する装置である。さらに、当該箇所で排泄したことを飼い主の声で誉めるために、「音声発生装置」が付帯され、その声がけにと同時に餌を自動的に出す「自動給おやつ　器」も付帯される装置である。
【考案の詳細な説明】
【０００１】
【考案の属する技術分野】
本考案は、犬の条件反射学習による習性を利用し、排泄物の重量を機械的認識及び飼い主の声による「声がけ」のスリコミ効果により、一定箇所での排泄をしつける装置。
【０００２】
【従来の技術】
従来までのしつけ装置は、排泄箇所の囲い込みや、留守の際の餌やりが自動化されたものであった。
【０００３】
【考案が解決しようとする課題】
本装置は、飼い主が行う「餌」や「声がけ」による排泄しつけを完全自動化したものである。
【０００４】
【課題を解決するための手段】
本発明により、飼い主の手を煩わせることなく、自動的に排泄箇所をペットに認識させることが可能となる。
【０００５】
【考案の実施の形態】
図１に全体的なシステムを表すブロック図。
【０００６】
【考案の効果】
本考案により、飼い主の手を煩わせることがないため、ペットによる屋内での奔放な排泄を短期間で一定箇所にしつけることが可能となる。
【図面の簡単な説明】
【図１】全体的なシステムを表すブロック図。
【図１】
0003098861.tif 000003
【手続補正書】
【提出日】平成15年8月1日(2003.8.1)
【手続補正１】
【補正対象書類名】明細書
【補正対象項目名】請求項１
【補正方法】変更
【補正の内容】
【請求項１】
本装置は、
（１）犬の体重計測をする「重量測定器」
（２）体重計測した数値を基本体重として認識する「体重検知器」
（３）犬が立ち去った際に残る排泄物の有無を認識する「排泄物計測器」
（４）排泄したことを飼い主の声で誉める為の「音声発生装置」
（５）その声がけと同時に餌を自動的に出す「自動給おやつ器」
以上の構成からなる「排泄しつけ装置」。
(57)【要約】【課題】本考案は、棚板の幅や奥行きが変わっても使用できる、汎用性の高い安価な卓上用の棚装置システムを提供することである。【解決手段】本考案は、奥行きに関しては、棚装置の左側板１及び右側板２に前脚４を取り付けて棚板３の奥行きに合わせて前後させ、幅に関しては、棚板３の幅が長い場合のみ補助金具７で棚板３と背部材５を固定する。【選択図】　図１
0003098866.tif 000002
【実用新案登録請求の範囲】
【請求項１】
側板と棚板及び背部材によって構成される棚装置において、側板には棚板の奥行きによって伸縮・着脱できる脚がついており、棚板の幅が広いときには背部材と棚板を固定する固定金具を付けることができる棚装置。
【考案の詳細な説明】
【０００１】
【考案の属する技術分野】
本考案は卓上に載置する棚装置に関するものである。
【０００２】
【従来の技術】
従来、卓上に載置する棚装置において、その幅を数種類の中から自由に選べるものはあった。しかしながら、背部材は棚板の幅に合わせた長さにしなくてはならないため、材料を共通化すると、一番幅が長い物で強度不足になったり、幅が短い物で強度過剰になったりしていた。また、奥行きに関しては部品の共通化が困難であることから１種類しかないか、又は、奥行きも数種類あるが、部品を共通化していないため、製造コストが大きくなり、高価な物になってしまっているのが現状である。近年、モニターやパソコン本体等を卓上に置くことが多い中で、幅も奥行きも自由に選ぶことのできる卓上用の棚装置を安価に提供されることが望まれていた。
【０００３】
【考案が解決しようとする課題】
本考案の目的は、棚板と背部材以外をすべて共通部品とし、背部材の材料を棚板の幅を変えても共通にし、棚板の幅や奥行きが変わっても使用できる、汎用性の高い安価な卓上用の棚装置システムを提供することである。
【０００４】
【課題を解決するための手段】
本考案における棚装置は、側板の下部に前脚を設け、棚板の奥行きに合わせて前脚を前後させることにより起立安定性を保持し、棚板の幅が長い場合には背部材に補強金具を取り付けることができる。以上のようなことを特徴とする棚装置である。
【０００５】
【考案の実施の形態】
以下、本考案における棚装置システムの実施の形態を、図に基づき説明する。図１は全体の斜視図、図２は下方から見た斜視図、図３は幅方向中心における左側面から見た断面図、図４は図３の補助金具近傍の拡大断面図、図４は棚板の幅が短い場合の正面図、図５は棚板の幅が長い場合の正面図である。本考案の棚装置は左側板１及び右側板２で棚板３を挟み込んでネジで固定し、側板の下部に前脚４を付ける。背部材５を側板の背面に固定具６で取り付け、補助金具７で背部材と棚板３とを固定する。仕切り板８は背部材５と棚板３の後部で固定されるようになっている。左側板１及び右側板２は板材をＬ字に曲げ、さらに下部を内側に折り曲げ、各面に棚板やその他の部材を取り付けるためのネジ穴が設けてある。棚板３にも側板及び補助金具７を取り付けるネジ穴が設けてある。側板の下部の折り曲げ部には前脚４のダボが入る穴が、前脚が前後可能なように設けられている。補助金具７は上部に穴を設け、そこに背部材５を通した後、棚板３を上下の爪により挟み込んでからネジで固定される様になっている。
【０００６】
【考案の効果】
まず、棚板の奥行きに関しては、棚板の奥行きに合わせて前脚を前後に動かすことによって、棚板が側板より前方へ出ていても起立安定性を保持できる。この前脚は側板の下部の折り曲げている部分に位置決め用の穴を数箇所開けておき、前脚に付いているダボを穴に入れて、側面からネジで固定する。このことにより、棚板の奥行きに合わせた前脚の取り付け位置の決定が容易になり、さらにネジ１本で上下左右にぐらつくことなく、しっかりと取り付けることができる。
【０００７】
また、棚板の幅に関しては、棚板の幅が一番短い物に合わせて背部材の材料を決定し、棚板の幅が長い物では補助金具をつけることによって必要な強度を得ることができる。この補助金具は金具の上部に穴を設け、そこに背部材を通した後、棚板を挟み込んでからネジで固定したものである。背部材が後方に押された場合、補助金具の上部も後方に押されることになる。この力は、補助金具の下部が棚板を挟み込んであるため、てこの原理により、上爪を固定軸として、下爪から棚板への上方向の力に変換される。よって、棚板と補助金具とはしっかりと固定されるため、補助金具と棚板とを固定するネジは位置決め程度でよい。
【図面の簡単な説明】
【図１】本考案の棚装置の斜視図である。
【図２】本考案の棚装置の下方向から見た斜視図である。
【図３】本考案の棚装置の幅方向中心における左側面から見た断面図である。
【図４】本考案の棚装置の補助金具近傍における拡大断面図である。
【図５】本考案の棚装置の棚板の幅が長い場合の正面図である。
【図６】本考案の棚装置の棚板の幅が短い場合の正面図である。
【符号の説明】
１　　左側板
２　　右側板
３　　棚板
４　　前脚
５　　背部材
６　　固定具
７　　補助金具
７ａ　上爪
７ｂ　下爪
８　　仕切り板
【図１】
0003098866.tif 000003
【図２】
0003098866.tif 000004
【図３】
0003098866.tif 000005
【図４】
0003098866.tif 000006
【図５】
0003098866.tif 000007
【図６】
0003098866.tif 000008
【手続補正書】
【提出日】平成15年8月6日(2003.8.6)
【手続補正１】
【補正対象書類名】明細書
【補正対象項目名】実用新案登録請求の範囲
【補正方法】変更
【補正の内容】
【実用新案登録請求の範囲】
【請求項１】
一対の側板と棚板及び背部材によって構成される棚装置システムにおいて、側板の底面に前後方向に一定の間隔で数箇所と側面底部１箇所に穴を空けておき、側板の底面に空けた穴の数箇所の内、２箇所に脚の底面に設けた２つの突起を填める事により、棚板の奥行に合わせて脚を前後に数段階スライドさせこれを側板側面からビス等で固定する事により起立安定性を確保し、棚板の幅が広いときには背部材の強度不足を補うために、背部材と棚板とを固定する固定金具を棚板の背面中央に付けることができることを特徴とする棚装置システム。
(57)【要約】　　　（修正有）【課題】一般住宅の窓枠の溝の深さに調整して使用できる二重機能を持つ箒を提供する。【解決手段】本体の箒に対して、先端に小さい箒３を取り付ける事により深溝等のゴミを除去する。スライド方式に束ね金具を上下移動する事が可能な構造とし蝶ナット４または菊ナット等で任意の長さで締め付け固定し前後に振動するのを防止する為磁石５を使用する。【選択図】　　図４
0003098864.tif 000002
【実用新案登録請求の範囲】
【請求項１】
穂▲１▼を結束部▲２▼で束ねてなる大箒（Ｈ１）の結束部▲２▼に柄▲３▼を取り付けかつ前記結束部▲２▼の幅方向側枠を設けて（Ｈ２）縁部に幅の狭い溝を掃く小ぼうきを大箒の（Ｈ１）穂の長さ方向に上下移動可能。任意の位置に位置を決める機能を持つ枠を取り付けて構成した特徴の二重機能を持つ箒
【考案の詳細な説明】
【０００１】
［考案の属する技術分野］
本考案は箒本体先端に上下に小箒がスライドし任意の位置で固定可能にナットを使用したので深溝等を掃かない時は簡単に本体の長さに戻し、平面掃除も可能。また一時的な固定の為には磁石を併用することに依り、前後に揺れるブランコ運動を防止に関するもの。
【０００２】
［従来の技術］
マンション、団地等の階段や隅又踊り場等の枯れ葉や濡れ落ち葉及びゴミ等は取り除く為に大変手間を掛けて苦労して別の小さい手箒で掃き残りを取り除いていた。溝等は特に箒の持ち替えの度に置いていた物をかがんで取る動作が加わり能率が悪く成っている。
実公平　Ｕ出　０５−２９０３８　開０６−７９４５７とはちがう。
【０００３】
［考案が解決しようとする課題］
従来の掃除では終了後、隅々に小さいゴミが残留していた。
為に又小箒でかがんで取り除く状態だったのが今回の機能の箒では１回で１本で解決する。
【０００４】
［課題を解決する為の手段］
本考案に▲２▼本体の箒に対して、先端に小さい箒を取り付ける事により深溝等のゴミを除去する事が可能で▲４▼の曲げた鉄板に溝６ｍｍで上部接着しスライド方式に▲３▼の束ね金具を上下移動する事が可能な構造とし蝶ナットまたは菊ナット等で任意の長さで締め付け固定し前後に振動するのを防止する為磁石を使用する事により解決する。
【０００５】
［考案の実施の形態］
箒に取り付けたガイドに上部で手箒の先端部分上部を直径５ｍｍのピンで貫通し両側の溝の片側でナットで締め付け任意の位置に固定することが可能である。
上下は４０ｍｍ伸縮可能であり溝に充分適応出来る。
特にアルミサッシの仕切り戸の下部（摺動部分）等の場合に適当である。
【０００６】
［実施例］
以下添付図面に従って実施例を説明する。
▲１▼は箒の柄を示す。▲２▼は箒本体を上部でまとめる枠を示します。
締め付け部分のところどころには張りをもたせる為のリブがあります。
▲３▼は小さい箒で金具（枠に折り曲げたプレス加工済みのもの）の中を上下にスライドして使用者の任意の長さ深さの位置で一時固定します。
蝶ナット又は菊ナット等で締め付けます。
尚通常は上部に固定しておくと平面は本体と同様に掃除する事が可能である。
【０００７】
念の為にスライドの金具と小箒と束ねた金属（薄い鉄板で囲ったもの）とを高さが水平なのを利用して磁石を利用することに依り確かに小箒が固定され、作業の段階で前後して動く揺れがなくフレル動きは解決出来る。
【０００８】
使用頻度により先端部分が磨耗した場合には小箒の部分のみをパーツとして交換することも可能である。
また金具類は一般的な防錆処理のユニクロメッキ或いは本体に添った黒色または茶色の塗装で仕上げる。
【０００９】
［考案の効果］
本考案は穂▲１▼を結束部▲２▼で束ねてなる大箒［Ｈ１］の結束部▲２▼に柄▲３▼を取り付け、結束部▲２▼の幅方向側枠を設けて［Ｈ２］縁部に幅の狭い溝を掃く小ぼうき大箒の［Ｈ１］穂の長さ方向に上下移動可能である。使用者の掃除のやり易さ、労力の軽減が実感、共感されることにより特徴の効果がある。
【図面の簡単な説明】
【図１】本考案の二重機能を持つ箒の実施を示す正面図である。
【図２】大箒に小箒をスライド金具上部に固定した状態を示す図である。
【図３】アルミサッシ下部ゴミ除去した状態を示す図である。
【図４】本考案の斜視図
【符号の説明】
１箒の柄
２本体上部を薄い金属板でカバー
３先端箒
４上下にスライドさせる金具（チャネル状板とピン蝶ナットを示す。）
５任意の長さ位置で固定し磁石併用（固定を確実にする為）
６アルミサッシ部分
【図１】
0003098864.tif 000003
【図２】
0003098864.tif 000004
【図３】
0003098864.tif 000005
【図４】
0003098864.tif 000006
【手続補正書】
【提出日】平成15年6月18日(2003.6.18)
【手続補正１】
【補正対象書類名】明細書
【補正対象項目名】請求項１
【補正方法】変更
【補正の内容】
【請求項１】
穂▲１▼を結束部▲２▼で束ねてなる大箒（Ｈ１）の結束部▲２▼に柄▲３▼を取り付けかつ前記結束部▲２▼の幅方向側枠を設けて（Ｈ２）縁部に幅の狭い溝を掃く小ぼうきを大箒の（Ｈ１）穂の長さ方向に上下移動可能にして任意の位置に位置を決める機能を持つ枠を取り付けて構成した特徴の二重機能を持つ箒
(57)【要約】【課題】自動車で夜間走行中、特に雨降時には前車の駐車灯が点滅していても、対向車のライトに目が眩み、右側のドアーが開いていたり、さらに乗降者などがいる状態がわからず危険な時がある。【解決手段】自動車のドアーの後部に位置し、ドアー開放時には後ろ向きに点灯或いは点滅するドアー後部車幅ランプを備える。【選択図】　図１
0003098862.tif 000002
【実用新案登録請求の範囲】
【請求項１】
自動車のドアーを開けた時、ドアーの後部車幅が一番広い位置に後ろ向きになる様に、赤色等の点灯、又は点滅して後続車が確認出来る照度を持つランプである。
【考案の詳細な説明】
【０００１】車幅灯
【０００２】駐車灯類
【０００３】
本考案は乗用車で夜間走行中、特に雨降時前車の駐車灯が点滅していても、右側のドアーが開いて乗降者など対向車のライトに目が眩み、その状態がわからず危険な時がある。乗用車のドアーは全開時約８０度くらい開き１メートルくらい幅が広がるものである。その状態を確認出来る。
【０００４】
本考案で乗降者及び追突事故の安全を確保が出来る追越時にも効果がある。
【図面の簡単な説明】
斜視図
▲１▼．▲４▼は取り付けた位置を示す
▲２▼は後部ドアがスライドしてドアが開く方向を示す
▲３▼は従来の駐車灯である
【図１】
0003098862.tif 000003
【手続補正書】
【提出日】平成15年8月22日(2003.8.22)
【手続補正１】
【補正対象書類名】明細書
【補正対象項目名】全文
【補正方法】変更
【補正の内容】
【考案の詳細な説明】
【実用新案登録請求の範囲】
【請求項１】自動車のドアーの後部に位置し、ドアー開放時には後ろ向きに点灯或いは点滅するドアー後部車幅ランプを備えることを特徴とするドアー後部車幅ランプ付き自動車。
【考案の詳細な説明】
【０００１】
【考案の属する技術分野】
本考案は、ドアー後部車幅ランプ付き自動車に関するものである。
【０００２】
【従来の技術】
従来、自動車には駐車灯が設けられている。
【０００３】
【考案が解決しようとする課題】
しかしながら、自動車で夜間走行中、特に雨降時には前車の駐車灯が点滅していても、対向車のライトに目が眩み、右側のドアーが開いていたり、さらに乗降者などがいる状態がわからず危険な時がある。
そこで、本考案は、係る問題点を解決すべく、ドアー後部車幅ランプ付き自動車の提供を目的とするものである。
【０００４】
【課題を解決するための手段】
本考案に係るドアー後部車幅ランプ付き自動車は、自動車のドアーの後部に位置し、ドアー開放時には後ろ向きに点灯或いは点滅するドアー後部車幅ランプを備えることを特徴とする。　　【０００５】
【考案の実施の形態】
以下、図面に示す実施の形態について説明する。
図１は本考案に係るドアー後部車幅ランプ付き自動車の斜視図である。
【０００６】
本考案に係るドアー後部車幅ランプ付き自動車は、自動車のドアーの後部にドアー後部車幅ランプを備えている。１、４は上記ドアー後部車幅ランプを取り付けた位置を示している。なお、２は後部ドアーがスライドしてドアーが開く方向を示しており、３は従来の駐車灯である。
【０００７】
上記ドアー後部車幅ランプは、自動車ドアーを開けた時、ドアーの後部車幅が一番広い位置に後ろ向きになり、赤色等の点灯、又は点滅して後続車が確認出来る照度を持つ。そして、自動車のドアーは全開時約８０度くらい開き１メートルくらいの幅が広がるものであるが、その状態を確認できるものとなる。
【０００８】
【考案の効果】
本考案は以上の通り構成するものであって、自動車のドアーを開放した状態を後方から確認できるため、追突事故を回避して乗降者の安全を確保出来るものとなる。また、追越時にも効果がある。
【図面の簡単な説明】
【図１】本考案に係るドアー後部車幅ランプ付き自動車の斜視図である。
【符号の説明】
１、４　　ドアー後部車幅ランプ取り付け位置
２　　後部ドアーがスライドしてドアーが開く方向
３　　駐車灯